(57)【要約】【課題】ワイヤハーネスがあばれること、及びワイヤハーネスの噛み込みを確実に防止できる電気接続箱とワイヤハーネスとの固定構造を提供する。【解決手段】固定構造１は、電気接続箱４の箱本体４１の上面４１ａに接続されるワイヤハーネス２の外周にバンドクランプ３の保持部３２を巻き付けるとともに、該ワイヤハーネス２を箱本体４１の上面４１ａから立設したワイヤハーネス取付部４２に沿わせる。そして、バンドクランプ３の保持部３２に連なった係止部３３を、ワイヤハーネス取付部４２を貫通した係止受け部４３に係止させて、ワイヤハーネス２をワイヤハーネス取付部４２、即ち箱本体４１の外壁に固定する。【選択図】図２
2007037331.tif 000002
【特許請求の範囲】
【請求項１】
電気接続箱の箱本体に端末が接続されたワイヤハーネスを、前記箱本体の外壁に固定する固定構造であって、
前記ワイヤハーネスの外周を結束する保持部と、前記保持部に連なった係止部と、を有したバンドクランプと、
前記箱本体の外壁に設けられた係止受け部と、を備え、
前記保持部により前記ワイヤハーネスの外周を結束した前記バンドクランプの前記係止部を前記係止受け部に係止することで、前記ワイヤハーネスを前記箱本体の外壁に固定することを特徴とする電気接続箱とワイヤハーネスとの固定構造。
【請求項２】
前記ワイヤハーネスの端末が前記箱本体の表面に接続され、かつ、前記係止受け部が前記箱本体の表面から立設した取付部に設けられていることを特徴とする請求項１に記載の電気接続箱とワイヤハーネスとの固定構造。
【請求項３】
前記電気接続箱が前記箱本体の前記表面を覆うカバー部材を備えたことを特徴とする請求項２に記載の電気接続箱とワイヤハーネスとの固定構造。
【請求項４】
前記カバー部材が、前記ワイヤハーネスの配索経路に沿って形成されたフード部を備えたことを特徴とする請求項３に記載の電気接続箱とワイヤハーネスとの固定構造。
【請求項５】
前記ワイヤハーネスに、前記保持部により結束された箇所から前記箱本体に接続された前記端末に向かって１８０度曲がった屈曲箇所が形成されたことを特徴とする請求項１ないし請求項４のうちいずれか１項に記載の電気接続箱とワイヤハーネスとの固定構造。
【発明の詳細な説明】
【技術分野】
【０００１】
本発明は、移動体としての自動車などに搭載される電気接続箱と該電気接続箱に接続されるワイヤハーネスとの固定構造に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ（特許文献１を参照。）。
【０００５】
図４及び図５に示された電気接続箱１０４は、外郭を形成する箱本体１４１と、箱本体１４１に取り付けられるアッパーカバー１４５などを備えている。箱本体１４１は、図４の上側に位置する上面１４１ａにコネクタ１４４を備え、該コネクタ１４４には、前述した電子機器に電力を伝えるワイヤハーネス１０２のコネクタ１０６が嵌合する。アッパーカバー１４５は、嵌合したコネクタ１４４，１０６などを保護するために箱本体１４１の上面１４１ａ側に取り付けられ、該アッパーカバー１４５の下縁に設けられた切り欠き１５０からワイヤハーネス１０２が引き出される。
【特許文献１】特開２００２−１０４４２号公報
【発明の開示】
【発明が解決しようとする課題】
【０００６】
このような電気接続箱１０４を組立てる際には、上面１４１ａに接続されたワイヤハーネス１０２を１８０度曲げた状態で保持するとともに、切り欠き１５０内にワイヤハーネス１０２を通してアッパーカバー１４５を箱本体１４１に取り付けていた。しかしながらこのような組立て方法は作業性が悪いだけでなく、ワイヤハーネス１０２が切り欠き１５０を通らずに、アッパーカバー１４５と箱本体１４１との間に噛み込まれることがあった。また、ワイヤハーネス１０２を電気接続箱１０４に固定していないため、外力が加わった際にワイヤハーネス１０２が切り欠き１５０内であばれてしまうという問題があった。
【０００７】
従って、本発明は、ワイヤハーネスがあばれることを防止できるとともに、ワイヤハーネスの噛み込みを確実に防止できる、電気接続箱とワイヤハーネスとの固定構造を提供することをその目的とする。
【課題を解決するための手段】
【０００８】
前記課題を解決し目的を達成するために、請求項１に記載の電気接続箱とワイヤハーネスとの固定構造は、電気接続箱の箱本体に端末が接続されたワイヤハーネスを、前記箱本体の外壁に固定する固定構造であって、前記ワイヤハーネスの外周を結束する保持部と、前記保持部に連なった係止部と、を有したバンドクランプと、前記箱本体の外壁に設けられた係止受け部と、を備え、前記保持部により前記ワイヤハーネスの外周を結束した前記バンドクランプの前記係止部を前記係止受け部に係止することで、前記ワイヤハーネスを前記箱本体の外壁に固定することを特徴としている。
【０００９】
請求項２に記載の電気接続箱とワイヤハーネスとの固定構造は、請求項１に記載の電気接続箱とワイヤハーネスとの固定構造において、前記ワイヤハーネスの端末が前記箱本体の表面に接続され、かつ、前記係止受け部が前記箱本体の表面から立設した取付部に設けられていることを特徴としている。
【００１０】
請求項３に記載の電気接続箱とワイヤハーネスとの固定構造は、請求項２に記載の電気接続箱とワイヤハーネスとの固定構造において、前記電気接続箱が前記箱本体の前記表面を覆うカバー部材を備えたことを特徴としている。
【００１１】
請求項４に記載の電気接続箱とワイヤハーネスとの固定構造は、請求項３に記載の電気接続箱とワイヤハーネスとの固定構造において、前記カバー部材が、前記ワイヤハーネスの配索経路に沿って形成されたフード部を備えたことを特徴としている。
【００１２】
請求項５に記載の電気接続箱とワイヤハーネスとの固定構造は、請求項１ないし請求項４のうちいずれか１項に記載の電気接続箱とワイヤハーネスとの固定構造において、前記ワイヤハーネスに、前記保持部により結束された箇所から前記箱本体に接続された前記端末に向かって１８０度曲がった屈曲箇所が形成されたことを特徴としている。
【発明の効果】
【００１３】
請求項１に記載の電気接続箱とワイヤハーネスとの固定構造は、ワイヤハーネスがバンドクランプの保持部によって結束されるとともに、係止部によって箱本体の外壁に固定されるため、ワイヤハーネスがあばれることを防止でき、そのために電気接続箱とワイヤハーネスとの接続信頼性を高くすることができる。
【００１４】
請求項２に記載の電気接続箱とワイヤハーネスとの固定構造は、ワイヤハーネスがバンドクランプの保持部によって結束されるとともに、係止部によって、箱本体の表面から立設した取付部に設けられた係止受け部に固定されるため、ワイヤハーネスがあばれることを防止でき、そのために電気接続箱とワイヤハーネスとの接続信頼性を高くすることができる。
【００１５】
請求項３に記載の電気接続箱とワイヤハーネスとの固定構造は、箱本体の表面に接続されたワイヤハーネスが箱本体の取付部に固定された後に、該表面と該取付部とがカバー部材によって覆われるため、該カバーを取り付ける際にワイヤハーネスを噛み込むことが確実に防止できる。
【００１６】
請求項４に記載の電気接続箱とワイヤハーネスとの固定構造は、カバー部材がワイヤハーネスの配索経路に沿って形成されたフード部を備えているため、外力によってワイヤハーネスが変形することを防止でき、被水や塵埃からワイヤハーネスを保護することができる。
【００１７】
請求項５に記載の電気接続箱とワイヤハーネスとの固定構造は、ワイヤハーネスに、保持部により結束された箇所から箱本体に接続された端末に向かって１８０度曲がった屈曲箇所が形成されている。このようなワイヤハーネスはバンドクランプによって箱本体の外壁に固定されるため、ワイヤハーネスが位置ずれすることを防止できるとともに、電気接続箱の取り付け工程における作業性を向上させることができる。
【発明を実施するための最良の形態】
【００１８】
以下、本発明の一実施形態にかかる電気接続箱とワイヤハーネスとの固定構造（以下、単に固定構造という。）１を、図１ないし図３を参照して説明する。本発明の一実施形態にかかる固定構造１は、ワイヤハーネス２にバンドクランプ３を取り付けるとともに、該バンドクランプ３付きのワイヤハーネス２を電気接続箱４に取り付ける固定構造１である。なお、電気接続箱４は、移動体としての自動車に搭載されるとともに、電源側から供給される電力をランプやモータなどの負荷側に供給するものである。
【００１９】
電気接続箱４は、図１及び図２に示すように、箱本体４１と、ワイヤハーネス取付部４２と、カバー部材としてのアッパーカバー４５などを備えている。
【００２０】
箱本体４１は、絶縁性の合成樹脂からなり、周知の射出成形により成形される。箱本体４１は、複数の外壁により、筒状（箱状）に形成されている。箱本体４１の図２の上側に位置する表面としての上面４１ａには、ワイヤハーネス２の末端に設けられたコネクタ６と嵌合するコネクタ４４が設けられている。
【００２１】
ワイヤハーネス取付部４２は、板状に形成され、箱本体４１の上面４１ａから立設しているとともに、箱本体４１のワイヤハーネス２が沿う外壁と面一に形成されている。即ち、ワイヤハーネス取付部４２は箱本体４１の外壁の一部をなしている。ワイヤハーネス取付部４２は、ワイヤハーネス２を束ねたバンドクランプ３の後述の係止部３３が係止される係止受け部４３を備えている。係止受け部４３は、ワイヤハーネス取付部４２を貫通した穴である。該係止受け部４３内にバンドクランプの係止部３３が係止することで、ワイヤハーネス２がワイヤハーネス取付部４２の表面に当接した状態で固定される。さらに、ワイヤハーネス取付部４２即ち係止受け部４３は、箱本体４１の外壁の前述した上面４１ａ寄りの縁部に設けられている。
【００２２】
アッパーカバー４５は、絶縁性の合成樹脂からなり、周知の射出成形により成形される。アッパーカバー４５は、箱本体４１の上面４１ａ側に取り付けられ、前述したコネクタ６，４４などを覆う。また、アッパーカバー４５は、ワイヤハーネス２の配索経路に沿って形成されたフード部４６を備えている。フード部４６は、アッパーカバー４５の外壁から突出しているとともに、ワイヤハーネス２の長手方向に沿って直線上に延び、箱本体４１寄りの縁部が開口している。該フード部４６は、その内側に、ワイヤハーネス２のコネクタ６寄りの端末を収容し、外力による変形や被水・塵埃などからワイヤハーネス２を保護する。
【００２３】
ワイヤハーネス２は、複数の電線５とコネクタ６などを備えている。電線５は、導電性の芯線と、該芯線を被覆する絶縁性の被覆部と、を備えた所謂被覆電線である。コネクタ６は、前記電線５の端部などに取り付けられている。コネクタ６は、電線５の芯線と電気的に接続された端子金具と、該端子金具を収容する絶縁性のコネクタハウジングとを備えている。ワイヤハーネス２は、コネクタ６が、電気接続箱４の上面４１ａに設けられたコネクタ４４と嵌合して、電気接続箱４と電気的に接続する。
【００２４】
バンドクランプ３は、合成樹脂からなり、円盤状の鍔部３１と、保持部３２と、係止部３３と、を備えている。
【００２５】
保持部３２は、帯状に形成され、弾性変形自在である。保持部３２は、一端部が鍔部３１に連なっているとともに、他端部が鍔部３１に着脱自在となっている。保持部３２は、ワイヤハーネス２の外周に巻かれて、他端部が鍔部３１に取り付けられて、ワイヤハーネス２を保持する。なお、保持部３２は、他端部が鍔部３１に取り付けられると輪状となる。
【００２６】
係止部３３は、立設片３４と、一対の弾性変形片３５と、を備えている。立設片３４は、鍔部３１の中央から立設している。このため、立設片３４は、鍔部３１から該鍔部３１の外方向に延びている。
【００２７】
一対の弾性変形片３５は、一端部が互いに連なっているとともに、該一端部が立設片３４の鍔部３１から離れた先端部に連なっている。一対の弾性変形片３５の他端部は、立設片３４から離れている。弾性変形片３５は、前記一端部から他端部に向かうにしたがって、立設片３４から徐々に離れている。こうして、一対の弾性変形片３５は、山形に形成されている。また、弾性変形片３５は、他端部が立設片３４に接離する方向に、弾性変形自在である。なお、接離とは、近づいたり離れたりすることである。
【００２８】
さらに、弾性変形片３５の他端部には、切欠部３６が設けられている。切欠部３６は、一対の弾性変形片３５の外表面から、一対の弾性変形片３５が互いに近づく方向に、該弾性変形片３５の他端部が切り欠かれて形成されている。切欠部３６は、係止受け部４３の内縁部と合致する。
【００２９】
前述した構成の係止部３３は、係止受け部４３に相対されて、係止受け部４３内に圧入される。すると、一対の弾性変形片３５の他端部が、前記係止受け部４３の内縁部に接触する。係止部３３が係止受け部４３内に更に圧入されていくと、係止受け部４３の内縁部によって、他端部が互いに近づく方向に一対の弾性変形片３５が弾性変形する。
【００３０】
その後、切欠部３６が係止受け部４３の内縁部に位置すると、弾性復元力によって他端部が互いに離れる方向に変位して、一対の弾性変形片３５が初期位置に復帰するとともに、切欠部３６が係止受け部４３の内縁部に接触（合致）する。こうして、係止部３３が、係止受け部４３に係止する。
【００３１】
こうして、係止部３３が、弾性変形片３５の切欠部３６と鍔部３１との間に、ワイヤハーネス取付部４２を挟む。こうして、係止部３３は、係止受け部４３に係止して、バンドクランプ３とワイヤハーネス取付部４２とを互いに固定する。
【００３２】
前述した構成の固定構造１は、まず、保持部３２をワイヤハーネス２の外周に巻いて、該保持部３２の他端部を鍔部３１に取り付ける。こうして、保持部３２で電線５即ちワイヤハーネス２を保持する。即ち、保持部３２は、バンドクランプ３をワイヤハーネス２に取り付ける。そして、バンドクランプ３が取り付けられたワイヤハーネス２のコネクタ６を、箱本体４１のコネクタ４４に嵌合させる。
【００３３】
その後、ワイヤハーネス２の電線５部分を、Ｕ字状に１８０度曲げた状態でワイヤハーネス取付部４２に沿わせ、係止部３３を係止受け部４３内に圧入して、切欠部３６と鍔部３１との間にワイヤハーネス取付部４２を挟む。こうして、バンドクランプ３が電気接続箱４とワイヤハーネス２とを固定する。
【００３４】
本実施形態の固定構造１によれば、ワイヤハーネス２の外周がバンドクランプ３の保持部３２によって結束されるとともに、係止部３３によって箱本体４１の外壁の一部であるワイヤハーネス取付部４２に固定されるため、ワイヤハーネス２が位置ずれすることを防止できるとともに、ワイヤハーネス２があばれることを防止でき、そのために電気接続箱４とワイヤハーネス２との接続信頼性を高くすることができる。
【００３５】
さらに、ワイヤハーネス２がワイヤハーネス取付部４２に固定された後に、アッパーカバー４５が箱本体４１の上面４１ａ側に取り付けられるため、該アッパーカバー４５を取り付ける際にワイヤハーネス２を噛み込むことが確実に防止できる。
【００３６】
なお、上述した実施形態では、ワイヤハーネス２の端部にコネクタ６が設けられていたが、本発明のワイヤハーネス２は、必ずしも端部にコネクタ６が設けられていなくても良い。
【００３７】
また、上述した実施形態では、バンドクランプ３側に弾性変形可能な係止部３３が設けられるとともに、ワイヤハーネス取付部４２側に係止受け部４３が設けられていたが、本発明では、バンドクランプ３側に穴を設け、ワイヤハーネス取付部４２側に弾性変形可能な突起を設けても良い。
【００３８】
さらに、上述した実施形態では、ワイヤハーネス２の端末が、箱本体４１の上面４１ａに接続される構成であるが、本発明では、ワイヤハーネス２の端末は、箱本体４１の表面であれば、どの面に接続される構成であっても良い。そしてその場合は、ワイヤハーネス取付部４２が、該表面から立設していれば良い。
【００３９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４０】
【図１】本発明の一実施の形態に係る固定構造の斜視図である。
【図２】図１に示された固定構造の分解図である。
【図３】図１に示された固定構造の要部を示す断面図である。
【図４】従来の電気接続箱を示す断面図である。
【図５】図４に示された電気接続箱の斜視図である。
【符号の説明】
【００４１】
１  固定構造
２  ワイヤハーネス
３  バンドクランプ
４  電気接続箱
３２  保持部
３３  係止部
４１  箱本体
４１ａ  上面（表面）
４２  ワイヤハーネス取付部（取付部）
４３  係止受け部
４５  アッパーカバー（カバー部材）
４６  フード部
【図１】
2007037331.tif 000003
【図２】
2007037331.tif 000004
【図３】
2007037331.tif 000005
【図４】
2007037331.tif 000006
【図５】
2007037331.tif 000007